(57)【要約】【課題】ケース、フィードモジュール、ストッパー部材と振れアームからなるフィード装置を提供する。【解決手段】ケースはフィードチャネルを含む。フィードモジュールはフィードチャネルの上端にピボットすると共に、フィード位置と準備位置の間を振れることができる。ストッパー部材はフィードチャネルの下端に設置される。振れアームはフィードチャネルの下端にピボットし、第一端部がフィードモジュールの底部に当接するものと第二端部がストッパー部材の底部に当接するものを含む。フィードモジュールがフィード位置から準備位置までシフトするときに、フィードモジュールは第一端部を下へ押し付け、ストッパー部材が第二端部により持ち上げられ、フィードチャネルの底部から突起する。【選択図】図３
2008169036.tif 000002
【特許請求の範囲】
【請求項１】
ペーパーを載せるためのフィードチャネルを含むケース、
前記フィードチャネルの上端にピボットし、フィードロール及びパーティションロールからなるフィードモジュールと、
前記フィードチャネルの下端に設置し、前記フィードロール箇所に近接するストッパー部材と、
前記フィードチャネルの下端にピボットしパーティションロール箇所に近接し、さらに第一端部と第二端部からなる振れアームを含み、
前記第一端部が前記フィードモジュールの底部に当接し、前記第二端部は前記ストッパー部材の底部に当接することを特徴とするフィード装置。
【請求項２】
前記フィードモジュールはさらに前記第一端部の尖端部に当接するための翼板を含むことを特徴とする請求項1に記載するフィード装置。
【請求項３】
前記第二端部は弾性部材であることを特徴とする請求項１に記載するフィード装置。
【請求項４】
前記弾性部材はバネであることを特徴とする請求項３に記載するフィード装置。
【請求項５】
前記弾性部材はリニアスプリングであることを特徴とする請求項３に記載するフィード装置。
【請求項６】
さらに前記フィードチャネルの底部に設置し、前記ストッパー部材のシフトをガイドするガイド溝を含むことを特徴とする請求項1に記載するフィード装置。
【請求項７】
ペーパーを載せるためのフィードチャネルを含むケース、
前記フィードチャネルの上端にピボットし、フィード位置及び準備位置の間を振れ動くフィードモジュールと、
前記フィードチャネルの下端に設置するストッパー部材と、
第一端部が前記フィードモジュールの底部に当接するものと第二端部がストッパー部材の底部に当接するものからなる振れアームを含み、
前記フィードモジュールが前記フィード位置から前記準備位置へシフトするときに、前記フィードモジュールは前記第一端部を下へ押し付け、前記ストッパー部材が前記第二端部により持ち上げられ、前記フィードチャネルの底部から突起するようにすることを特徴とする請求項1に記載するフィード装置。
【請求項８】
さらに前記フィードモジュールが前記準備位置から前記フィード位置へシフトするときに、前記ストッパー部材が下降し、前記フィードチャネルの底部に入ることを含むことを特徴とする請求項７に記載するフィード装置。
【請求項９】
前記フィードモジュールはさらに前記第一端部の尖端部に当接するための翼板を含むことを特徴とする請求項７に記載するフィード装置。
【請求項１０】
さらに前記フィードチャネルの底部に設置し、前記ストッパー部材のシフトをガイドするガイド溝を含むことを特徴とする請求項７に記載するフィード装置。
【発明の詳細な説明】
【技術分野】
【０００１】
本発明はフィード装置に関し、特にストッパー部材を具えたフィード装置に関する。
【背景技術】
【０００２】
従来ユーザーが人の手により文書をページ毎にスキャナーにセットしてスキャン動作を行なうことで、往々にして多大なる貴重な時間と労力資源を無駄にしていた。このため、現在市場ではスキャナーとセットになったオートフィード装置が出回っており、ユーザーは文書をフィード装置のフィードチャネルにセットするだけで、フィード装置はフィードチャネル上方に設置されたフィードモジュールを駆動させて、積み重ねてあるペーパーを順番にフィードして自動的に文書をスキャンするプログラムを完了させる。
【０００３】
しかしユーザーが文書をフィードチャネル上にセットして文書をスキャンする際、文書の前の縁が直接フィードチャネルの内部に挿入されると、決まってフィードモジュールに同時に多数のペーパーが取り込まれるという欠点があった。こうした欠点を改善するため、現在のフィード装置内には大抵フィードチャネルの底部若しくは上方にストッパー部材が組み込まれ、ユーザーがペーパーをフィードチャネルにセットすると、ストッパー部材はペーパーの前の縁を押さえ付けて、まずペーパーをフィードモジュールの下方に揃えて、フィード装置がフィードモジュールを駆動させ、フィード作業を行なう際、ストッパー部材が移動してペーパーをスムースにフィード装置内部に進入させる。
【０００４】
図１Ａは従来のフィード装置内に設置されたフィードモジュール１１及びストッパー部材１２を示した立体図である。ストッパー部材１２はフィードモジュール１１下方にピボットし、フィードモジュール１１は当接部１１１を含み、ストッパー部材１２は傾斜部１２１及びストッパー部１２２からなる。フィードモジュール１１が上向きに振れて準備位置に達すると、ストッパー部材１２のストッパー部１２２は直立状態を呈し、ペーパーの前の縁に当接してストッパーの役目を果たす。フィードモジュール１１が下向きに振れてフィード位置まで達しフィード作業を行なう際、フィードモジュール１１の当接部１１１がストッパー部材１２の傾斜部１２１を押し下げると、ストッパー部１２２が回転してフィードチャネルの底部まで降下し、ペーパーは自由にストッパー部材１２を通過して遮られない。
【０００５】
続いて図１Ｂは従来のフィード装置内のフィードモジュール１１及びストッパー部材１２の相対位置を示している。上記の従来型のフィード装置のストッパー部材１２には下記の問題が有る。つまり、ユーザーが積み重なったペーパーをフィード装置のフィードチャネルにセットした際、一番上のペーパーＳtはユーザーの込めた力が大き過ぎるか、或いは事前にペーパーの前の縁を揃えていない状況で直接ストッパー部材１２の傾斜部１２１まで押し下げると、ストッパー部１２２が回転してフィードチャネルの底部まで下降してしまい、ストッパー効果が失せてしまうのである。米国第6792241号発明特許で開示されたフィード装置は上記の種類のストッパー部材とフィードモジュールを採用している。
【発明の開示】
【発明が解決しようとする課題】
【０００６】
本発明の主な目的の一つは、振れアーム及びガイド溝の補助により、ストッパー部材を直立状態に保ったままでストッパー効果を果たすと同時に、ストッパー部材がペーパーに推されて回転する状況を回避することができるフィード装置を提供することにある。
【課題を解決するための手段】
【０００７】
本発明は、ペーパーを載せるためのフィードチャネルを含むケース、フィードチャネルの上方にピボットし、フィードロール及びパーティションロールからなるフィードモジュールと、フィードチャネルの下方に設置し、フィードロール箇所に近接するストッパー部材と、フィードチャネルの下方にピボットし、パーティションロール箇所に近接し、さらに第一端部と第二端部からなる振れアームを含み、第一端部がフィードモジュールの底部に当接し、第二端部がストッパー部材の底部に当接するフィード装置を提供する。
【０００８】
好ましくはフィードモジュールがさらに第一端部の尖端部に当接するための翼板を含む。
【０００９】
好ましくは振れアームの第二端部が弾性部材である。
【００１０】
好ましくはフィード装置が、フィードチャネルの底部に設置されストッパー部材のシフトをガイドするガイド溝を含む。
【００１１】
本発明は、ペーパーを載せるためのフィードチャネルを含むケース、フィードチャネルの上方にピボットし、フィード位置及び準備位置の間を振れ動くフィードモジュールと、フィードチャネルの下方に設置するストッパー部材と、第一端部がフィードモジュールの底部に当接するものと、第二端部がストッパー部材の底部に当接するものとからなる振れアームを含み、フィードモジュールがフィード位置から準備位置へシフトするときに、フィードモジュールは第一端部を下へ押し付け、ストッパー部材が第二端部により持ち上げられ、フィードチャネルの底部から突起するようにするフィード装置を提供する。
【００１２】
好ましくはフィードモジュールが準備位置からフィード位置へシフトするときに、ストッパー部材が下降して前記フィードチャネルの底部に入る。
【００１３】
好ましくはフィードモジュールがさらに第一端部の尖端部に当接するための翼板を含む。
【００１４】
好ましくはフィード装置が、さらにフィードチャネルの底部に設置されストッパー部材のシフトをガイドするガイド溝を含む。
【発明を実施するための最良の形態】
【００１５】
本発明が提供するフィード装置に関して、振れアーム及びガイド溝の補助によりストッパー部材を直立に保ったままでストッパー効果を果たす方法については下記の実施例の説明を参考にする。
【００１６】
図２は本発明に係る好ましい実施例のフィード装置を示した外観図である。フィード装置２は、ケース２０、フィードモジュール２１、ストッパー部材２２及び振れアーム２３からなる（図３参照）。ケース２０内にはフィードチャネル２０１を備え、ユーザーがスキャンしようとするペーパーＳを載せる。フィードモジュール２１はフィードチャネル２０１上方にピボットし、フィード作業を行ないペーパーＳをフィード装置２の内部に取り込む。フィードモジュール２１は、フレーム２１１、フィードロール２１２、パーティションロール２１３からなり（図４Ａ参照）、また、フレーム２１１を貫通してパーティションロール２１３の駆動シャフト２１４に嵌め込み、駆動シャフト２１４はフィード装置２内の駆動装置に連結しているので（図未提示）、フィード装置２はフィード作業を行なっていない、若しくは既に完了したとき、フィードモジュール２１は駆動装置の駆動で上方向に準備位置まで振れ動く。フィード装置２がフィード作業を行なっているとき、フィードモジュール２１は駆動装置の駆動により下方向へフィード位置まで振れ動き、フィードロール２１２をペーパーＳの先端面に接触させてフィード作業を行なう。
【００１７】
本発明が提供するフィード装置２は主として、フィードモジュール２１、ストッパー部材２２及び振れアーム２３等の三者の組み合わせによりストッパー機能を発揮し、図３はフィードモジュール２１、ストッパー部２２及び振れアーム２３の三者を示した立体図である。まず、振れアーム２３は第一端部２３１、第二端部２３２及び第一端部２３１と第二端部２３２の間にあるシャフト２３３からなり、第一端部２３１と第二端部２３２はシーソー両端部に類似した振れ特性を具えており、そのうち第一端部２３１はフィードモジュール２１の底部に当接し、第二端部２３２はストッパー部材２２の底部に当接する。フィードモジュール２１はフレーム２１１の外側の末端（フィードロール２１２がフィードモジュール２１の前端に位置するとすれば、パーティションロール２１３はフィードモジュール２１の末端に位置する）に近接した箇所に翼板２１１Ａを取り付け、フィードモジュール２１がフィード位置から上向きに準備位置まで振れると、翼板２１１Ａは振れアーム２３の第一端部２３１の頭頂部を押下し、さらに振れアーム２３の第二端部２３２が上向きに振れてストッパー部材２２を持ち上げ、フィードモジュール２１が準備位置から下向きにフィード位置まで振れると、ストッパー部材２２は下降してフィードチャネル２０１の底部に進入する。このほか、凹溝２２１が振れアーム２３の第二端部２３２と共に組み合わさるようにストッパーの底部は一定の構造を形成する。
【００１８】
図４Ａ乃至図４Ｅは本実施例のフィード装置２のフィードプロセスの一部を示したもので、これによってフィード装置２内のフィードモジュール２１、ストッパー部材２２及び振れアーム２３の相対位置及び作動状況を説明する。
【００１９】
まず図４Ａでは、本実施例で提供するフィード装置２において、フィードモジュール２１はケース２０内のフィードチャネル２０１上方に設置され、フレーム２１１、フィードロール２１２、パーティションロール２１３及び駆動シャフト２１４からなる。ストッパー部材２２はフィードチャネル２０１下方のフィードロール２１２に近接する箇所に設置し、また振れアーム２３はフィードチャネル２０１下方のパーティションロール２１３に近接する箇所にピボットする。このほか、本実施例が提供するフィード装置２はさらにフィードチャネル２０１の底部に設置された直立（若しくは傾斜気味）のガイド溝２０２を含み、ストッパー部材２２を収納してストッパー部材２２の上下シフトをガイドする。
【００２０】
引き続き図４Ａでは、フィード装置２はまだフィード作業を行なっていないか、或いは既にフィード作業を完了したとき、フィードモジュール２１は駆動装置の駆動によって準備位置まで上向きに振れる。またフィードモジュール２１が準備位置まで上向きに振れる過程で、フィードモジュール２１後端の翼板２１１Ａは振れアーム２３の第一端部２３１の頭頂部を押下して、振れアーム２３の第二端部２３２を上向きに振り、ストッパー部材２２を持ち上げることで、元々フィードチャネル２０１下方に設置されてあるストッパー部材２２は図４Ａで示されるようにガイド溝２０２に沿って直立してフィードチャネル２０１の底部から突き出してストッパー効果を発揮することができる。
【００２１】
引き続き図４Ａでは、ユーザーがペーパーＳをフィードチャネル２０１内にセットし、ペーパーＳの前の縁がストッパー部材をプッシュすると、ガイド溝２０２が挟持し且つ振れアーム２３が持ち上がった状態で、ストッパー部材２２は直立状態を保ったままでストッパー機能を発揮できるのである。
【００２２】
図４Ｂでは、フィード装置２はフィード作業を行なう際、フィードモジュール２１が駆動装置の駆動によってフィード位置まで下向きに振れることで、フィードロール２１２をペーパーＳの先端に接触させるとフィード作業が開始する。フィードモジュール２１がフィード位置まで下向きに振れる過程で、フィードモジュール２１後端にある翼板２１１Ａは上向きに振れ、振れアーム２３の第一端部２３１を押下することなく、ストッパー部材２２も第二端部２３２が上昇しないので下降してフィードチャネル２０１の底部に至る。このとき、フィードロール２１２に取り込まれたペーパーＳはストッパー部材２２上方を通ってフィード装置２内部へとシフトする。
【００２３】
図４Ｃでは、ペーパーＳがフィード装置２内部にシフトして振れアーム２３の第一端部２３１をプッシュすると同時に、振れアーム２３の第二端部２３２が上向きに振れてストッパー部材２２を持ち上げ、ペーパーＳに擦り傷をつけないようにするため、本実施例が提供する振れアーム２３の第二端部２３２には特に弾性板若しくはリニアスプリングのような弾性部材を採用している。このため、ペーパーＳが振れアーム２３の第一端部２３１をプッシュすると、弾性部材が生ずる変形によりストッパー部材２２がフィードチャネル２０１上に突出してペーパーＳに擦り傷をつけることがなく、又はストッパー部材２２の突出する程度を抑えてペーパーＳが傷つく可能性を低減することが出来る。
【００２４】
図４Ｄでは、ペーパーＳが完全に振れアーム２３の第一端部２３１を通過すると、振れアーム２３の第一端部２３１は上向きに振れて変形した第二端部２３２を原状に戻す。
【００２５】
図４Ｅでは、フィード装置２がフィード作業を終えると、フィードモジュール２１は駆動装置の駆動により上向きに振れて準備位置に達し、これと同時にフィードモジュール２１後端にある翼板２１１Ａが振れアーム２３の第一端部２３１の頭頂部を押下して、再びストッパー部材２２を持ち上げフィードチャネル２０１の底部に突き出してストッパー効果を発揮する。
【００２６】
従来のフィード装置内に設置したストッパー部材がストッパー機能を果たし得ない原因を探究すると、それは従来のストッパー部材が回転式の設計となっていることにあり、このためペーパーにプッシュされると容易にストッパー機能を失くしてしまうのである。しかし本発明が提供するストッパー部材はガイド溝並びに振れアームの補助によりストッパー部材をフィード装置がフィード作業を行なわないときは直立状態に保ったままでストッパー効果を発揮できる。
【００２７】
以上述べた実施例は本発明の技術趣旨及び特徴を説明したに過ぎず、その目的は当業者が本発明の内容を理解し実施することにあり、これを以って本発明の特許範囲を限定するものではなく、本発で開示した趣旨により為した均等な変化若しくは修正についても、本発明の特許範囲内に含むものとする。
【図面の簡単な説明】
【００２８】
【図１Ａ】従来のフィード装置内のフィードモジュール及びストッパー部材を示した立体図である。
【図１Ｂ】従来のフィード装置内のフィードモジュール及びストッパー部材の相対位置を示している。
【図２】本発明に係る好ましい実施例のフィード装置を示した外観図である。
【図３】フィード装置内のフィードモジュール、ストッパー部及び振れアームを示した立体図である。
【図４Ａ】フィードモジュールが準備位置にあるとき、フィード装置内のストッパー部材が持ち上げられフィードチャネル底部に突出する状況を示している。
【図４Ｂ】フィードモジュールがフィード位置にあるとき、フィード装置内のストッパー部材がフィードチャネル底部まで下降する状況を示している。
【図４Ｃ】ペーパーが振れアームの第一端部をプッシュする際、振れアームの第二端部に変形が生じる状況を示している。
【図４Ｄ】ペーパーが振れアームの第一端部を通過する際、振れアームの第二端部が原状を回復する状況を示している。
【図４Ｅ】フィードモジュールがフィード作業を完了し準備位置まで戻る際、フィード装置内のストッパーが再度持ち上げられフィードチャネル底部に突出する状況を示している。
【符号の説明】
【００２９】
１１  フィードモジュール
１１１  当接部
１２    ストッパー部材
１２１  傾斜部
１２２  ストッパー部
Sｔ  ペーパー
２  フィード装置
２０  ケース
２０１  フィードチャネル
２０２  案内溝
２１  フィードモジュール
２１１  フレーム
２１１A  翼板
２１２  フィードロール
２１３  パーティションロール
２１４  駆動シャフト
２２  ストッパー部材
２２１  凹溝
２３  振れアーム
２３１  第一端部
２３２  第二端部
２３３  シャフト
Ｓ  ペーパー
【図１Ａ】
2008169036.tif 000003
【図１Ｂ】
2008169036.tif 000004
【図２】
2008169036.tif 000005
【図３】
2008169036.tif 000006
【図４Ａ】
2008169036.tif 000007
【図４Ｂ】
2008169036.tif 000008
【図４Ｃ】
2008169036.tif 000009
【図４Ｄ】
2008169036.tif 000010
【図４Ｅ】
2008169036.tif 000011